(57)【要約】【課題】固定ビームの指向性アンテナを用いた非接触通信において、通信対象となる情報端末（例えば、キオスク端末）にユーザが携帯端末をかざすときに容易に互いのアンテナの位置合わせを行うことを可能とする。【解決手段】情報端末と携帯端末との間の非接触通信における位置合わせ補助装置は、携帯端末の機種を認識する認識部と、記憶部に記憶されている複数機種の携帯端末のアンテナの位置情報に基づいて、認識部が認識した携帯端末のアンテナの位置情報を抽出する抽出部と、抽出部が抽出した携帯端末のアンテナの位置情報に基づいて、非接触通信が行われる位置に対応した位置に設けられた情報端末の表示部に、携帯端末の画像を表示させる表示制御部と、を備える。【選択図】図１
2015115775.tif 000002
【特許請求の範囲】
【請求項１】
情報端末と携帯端末との間の非接触通信における位置合わせ補助装置であって、
前記携帯端末の機種を認識する認識部と、
記憶部に記憶されている複数機種の前記携帯端末のアンテナの位置情報に基づいて、前記認識部が認識した前記携帯端末のアンテナの位置情報を抽出する抽出部と、
前記抽出部が抽出した前記携帯端末のアンテナの位置情報に基づいて、前記非接触通信が行われる位置に対応した位置に設けられた前記情報端末の表示部に、前記携帯端末の画像を表示させる表示制御部と、
を備えることを特徴とする位置合わせ補助装置。
【請求項２】
情報端末と携帯端末との間の非接触通信における位置合わせ補助装置であって、
前記携帯端末の機種を認識する認識部と、
記憶部に記憶されている複数機種の前記携帯端末のアンテナの位置情報に基づいて、前記認識部が認識した前記携帯端末のアンテナの位置情報を抽出する抽出部と、
前記抽出部が抽出した前記携帯端末のアンテナの位置情報に基づいて、前記非接触通信が行われる位置に対応した前記情報端末の位置に、前記携帯端末の形状に基づく情報を投影する投影部と、
を備えることを特徴とする位置合わせ補助装置。
【請求項３】
前記認識部は、
無線通信機能を用いて前記携帯端末から機種情報を取得することにより、前記携帯端末の機種を認識する
ことを特徴とする請求項１または請求項２に記載の位置合わせ補助装置。
【請求項４】
前記認識部は、
前記情報端末が具備するカメラにより撮影された画像に基づいて、前記携帯端末の機種を認識する
ことを特徴とする請求項１または請求項２に記載の位置合わせ補助装置。
【請求項５】
情報端末と携帯端末との間の非接触通信における位置合わせ補助方法であって、
前記携帯端末の機種を認識する認識手順と、
記憶部に記憶されている複数機種の前記携帯端末のアンテナの位置情報に基づいて、前記認識手順により認識された前記携帯端末のアンテナの位置情報を抽出する抽出手順と、
前記抽出手順により抽出された前記携帯端末のアンテナの位置情報に基づいて、前記非接触通信が行われる位置に対応した位置に設けられた前記情報端末の表示部に、前記携帯端末の画像を表示させる表示制御手順と、
を含むことを特徴とする位置合わせ補助方法。
【請求項６】
情報端末と携帯端末との間の非接触通信における位置合わせ補助方法であって、
前記携帯端末の機種を認識する認識手順と、
記憶部に記憶されている複数機種の前記携帯端末のアンテナの位置情報に基づいて、前記認識手順により認識された前記携帯端末のアンテナの位置情報を抽出する抽出手順と、
前記抽出手順により抽出された前記携帯端末のアンテナの位置情報に基づいて、前記非接触通信が行われる位置に対応した前記情報端末の位置に、前記携帯端末の形状に基づく情報を投影する投影手順と、
を備えることを特徴とする位置合わせ補助方法。
【請求項７】
前記認識手順において、
無線通信機能を用いて前記携帯端末から機種情報を取得することにより、前記携帯端末の機種を認識する
ことを特徴とする請求項５または請求項６に記載の位置合わせ補助方法。
【請求項８】
前記認識手順において、
前記情報端末が具備するカメラにより撮影された画像に基づいて、前記携帯端末の機種の候補を認識し、認識した前記携帯端末の機種の候補から選択された機種を、前記携帯端末の機種として特定する
ことを特徴とする請求項５または請求項６に記載の位置合わせ補助方法。
【発明の詳細な説明】
【技術分野】
【０００１】
本発明は、位置合わせ補助装置および位置合わせ補助方法に関する。
【背景技術】
【０００２】
近年、スマートフォンや無線ＬＡＮ（Ｌｏｃａｌ  Ａｒｅａ  Ｎｅｔｗｏｒｋ）の普及や無線伝送される画像や動画等の高精細化により、無線トラフィックが急増しており、マイクロ波帯の周波数逼迫が問題となっている。そのため、無線通信システムの更なる高速化が求められており、そのニーズに応えるために潤沢な周波数帯域を用いて超高速無線伝送が可能なミリ波帯の利用が検討されている。例えば６０ＧＨｚ帯は、日本国内においては９ＧＨｚ幅の広帯域を無線局免許なしで利用可能であり、ＩＥＥＥ８０２．１１ａｄやＷｉｒｅｌｅｓｓＨＤ（登録商標）等のミリ波無線規格の標準化が進められており、近年注目されている周波数帯である。
【０００３】
ミリ波帯を用いた無線通信システムのユースケースとして、通信距離が数ｍの部屋内通信や、図５に示す情報端末（例えばキオスク端末５００）と携帯端末１００との間の非接触通信（通信距離数ｃｍ）などが検討されている。前者（部屋内通信）では、宅内ＡＶ（Ａｕｄｉｏ  Ｖｉｓｕａｌ）機器やＰＣ（Ｐｅｒｓｏｎａｌ  Ｃｏｍｐｕｔｅｒ）とその周辺機器を無線接続し、ハイビジョン映像の非圧縮無線伝送や大容量ファイルの伝送といった用途が考えられている。また後者（非接触通信）では、街頭、駅、空港等の公共施設、コンビニエンスストア等の店舗などに設置されたキオスク端末にユーザが携帯端末をかざし、電子書籍や音楽、映画などの大容量コンテンツを瞬時にダウンロードするサービスが考えられている。
【０００４】
前述のとおり、６０ＧＨｚ帯は無線局免許なしで利用可能であるが、そのためには送信電力を１０ｍＷ以下とする必要がある。この制限に加え、ミリ波はマイクロ波に比べ伝搬損失が大きいという特徴があるため、一般的に高利得な指向性アンテナやビームフォーミング技術を用いて送受信機間で互いにビームを向け合って通信を行う。ＩＥＥＥ８０２．１１ａｄ等のミリ波無線規格は主に部屋内通信をターゲットとしており、このユースケースでは送信機と受信機の位置関係によって最適なビーム方向が異なるため、ビームフォーミング技術が採用されている。
【０００５】
非特許文献１によれば、ビームフォーミングを用いる場合、情報データを送信する前に送受信機が互いの方向にビームを向けるためのトレーニング期間が必要となる。しかし、非接触通信ではキオスク端末と携帯端末の１対１通信となるため、数Ｇｂｉｔ／ｓもの通信速度が保証され、大容量コンテンツを瞬時にダウンロードできる。このように伝送速度が向上しコンテンツのダウンロード時間が短くなると、ビームフォーミングを行うためのトレーニング期間が相対的に長くなり、課題となってくる。
【０００６】
ここで、非接触通信の利用形態を考えると、通信対象となる情報端末（例えばキオスク端末）にユーザが携帯端末をかざすことにより送受信機の位置関係はある程度限られるため、必ずしもビームフォーミングを用いる必要はない。固定ビームの指向性アンテナを送受に用いる場合、前述のトレーニング期間は不要となり、より効率的なコンテンツのダウンロードが可能となる。
【先行技術文献】
【非特許文献】
【０００７】
【非特許文献１】ＩＥＥＥ  Ｐ８０２．１１ａｄ  Ｄｒａｆｔ  Ｓｔｄ，  Ｄ２．０，  “９．２５  ＤＢＡＮＤ  ＢＥＡＭＦＯＲＭＩＮＧ”，  ｐｐ．２２６−２６４，  Ｍａｒｃｈ  ２０１１
【発明の概要】
【発明が解決しようとする課題】
【０００８】
固定ビームの指向性アンテナを用いた非接触通信では、ユーザが携帯端末をキオスク端末にかざすとき、以下のような要因により携帯端末とキオスク端末との互いのアンテナの位置ずれが生じることがある。
【０００９】
例えば図５（ａ）に示すように、携帯端末１００をキオスク端末５００のアンテナ５３０が設けられたタッチ部５２０にかざしたとする。なお、図５（ｂ）は携帯端末１００の裏面を示す図であり、携帯端末１００のアンテナ１３０が裏面側に設けられていることを示している。このとき、キオスク端末５００のタッチ部５２０と携帯端末１００との間の空間がユーザから死角となり、キオスク端末５００のアンテナ５３０や携帯端末１００のアンテナ１３０の位置を目視で確認できなくなることがある。これはユーザがキオスク端末５００と携帯端末１００との両方のアンテナを目視できるように視点を変えることで対応する方法もあるが、ユーザの使い勝手を考慮すると、より容易に位置合わせが行えることが望ましい。
【００１０】
また、図６は、キオスク端末６００のタッチ部６２０に、携帯端末１００を設置する際の位置を示す端末設置用ガイド６２１が設けられている例を示している。なお、図６（ｂ）は、図６（ａ）に示すキオスク端末６００のタッチ部６２０を拡大して示した図である。この端末設置用ガイド６２１に沿って携帯端末１００を置けるようにすることで、キオスク端末６００のアンテナ６３０の位置と、携帯端末１００のアンテナ１３０の位置とがずれないようにするといった方法も考えられる。しかし、携帯端末１００の裏面のアンテナ１３０の位置は端末の機種によって異なるため、機種によってはキオスク端末５００と携帯端末１００との互いのアンテナの位置ずれが生じてしまう。
【００１１】
このような要因により互いのアンテナの位置ずれが生じると、互いのアンテナのビームが向かい合った状態で通信できなくなるために通信品質が劣化し、例えばコンテンツをダウンロードができなくなることがある。
【００１２】
本発明は、このような事情を考慮してなされたものであり、その目的は、固定ビームの指向性アンテナを用いた非接触通信において、通信対象となる情報端末（例えば、キオスク端末）にユーザが携帯端末をかざすときに容易に互いのアンテナの位置合わせを行うことを可能とする位置合わせ補助装置および位置合わせ補助方法を提供することにある。
【課題を解決するための手段】
【００１３】
この発明は上述した課題を解決するためになされたもので、本発明の一態様は、情報端末と携帯端末との間の非接触通信における位置合わせ補助装置であって、前記携帯端末の機種を認識する認識部と、記憶部に記憶されている複数機種の前記携帯端末のアンテナの位置情報に基づいて、前記認識部が認識した前記携帯端末のアンテナの位置情報を抽出する抽出部と、前記抽出部が抽出した前記携帯端末のアンテナの位置情報に基づいて、前記非接触通信が行われる位置に対応した位置に設けられた前記情報端末の表示部に、前記携帯端末の画像を表示させる表示制御部と、を備えることを特徴とする位置合わせ補助装置である。
【００１４】
また、本発明の一態様は、情報端末と携帯端末との間の非接触通信における位置合わせ補助装置であって、前記携帯端末の機種を認識する認識部と、記憶部に記憶されている複数機種の前記携帯端末のアンテナの位置情報に基づいて、前記認識部が認識した前記携帯端末のアンテナの位置情報を抽出する抽出部と、前記抽出部が抽出した前記携帯端末のアンテナの位置情報に基づいて、前記非接触通信が行われる位置に対応した前記情報端末の位置に、前記携帯端末の形状に基づく情報を投影する投影部と、を備えることを特徴とする位置合わせ補助装置である。
【００１５】
また、本発明の一態様は、上記位置合わせ補助装置において、前記認識部が、無線通信機能を用いて前記携帯端末から機種情報を取得することにより、前記携帯端末の機種を認識することを特徴とする。
【００１６】
また、本発明の一態様は、上記位置合わせ補助装置において、前記認識部が、前記情報端末が具備するカメラにより撮影された画像に基づいて、前記携帯端末の機種を認識することを特徴とする。
【００１７】
また、本発明の一態様は、情報端末と携帯端末との間の非接触通信における位置合わせ補助方法であって、前記携帯端末の機種を認識する認識手順と、記憶部に記憶されている複数機種の前記携帯端末のアンテナの位置情報に基づいて、前記認識手順により認識された前記携帯端末のアンテナの位置情報を抽出する抽出手順と、前記抽出手順により抽出された前記携帯端末のアンテナの位置情報に基づいて、前記非接触通信が行われる位置に対応した位置に設けられた前記情報端末の表示部に、前記携帯端末の画像を表示させる表示制御手順と、を含むことを特徴とする位置合わせ補助方法である。
【００１８】
また、本発明の一態様は、情報端末と携帯端末との間の非接触通信における位置合わせ補助方法であって、前記携帯端末の機種を認識する認識手順と、記憶部に記憶されている複数機種の前記携帯端末のアンテナの位置情報に基づいて、前記認識手順により認識された前記携帯端末のアンテナの位置情報を抽出する抽出手順と、前記抽出手順により抽出された前記携帯端末のアンテナの位置情報に基づいて、前記非接触通信が行われる位置に対応した前記情報端末の位置に、前記携帯端末の形状に基づく情報を投影する投影手順と、を備えることを特徴とする位置合わせ補助方法である。
【００１９】
また、本発明の一態様は、上記位置合わせ補助方法における前記認識手順において、無線通信機能を用いて前記携帯端末から機種情報を取得することにより、前記携帯端末の機種を認識することを特徴とする。
【００２０】
また、本発明の一態様は、上記位置合わせ補助方法における前記認識手順において、前記情報端末が具備するカメラにより撮影された画像に基づいて、前記携帯端末の機種の候補を認識し、認識した前記携帯端末の機種の候補から選択された機種を、前記携帯端末の機種として特定することを特徴とする。
【発明の効果】
【００２１】
この発明によれば、固定ビームの指向性アンテナを用いた非接触通信において、通信対象となる情報端末（例えば、キオスク端末）にユーザが携帯端末をかざすときに容易に互いのアンテナの位置合わせを行うことを可能となる。
【図面の簡単な説明】
【００２２】
【図１】第１の実施形態におけるキオスク端末の概略構成の一例を示す構成図である。
【図２】携帯端末の画像の表示方法を示す説明図である。
【図３】第１の実施形態におけるアンテナの位置合わせ補助の処理の一例を示すフローチャートである。
【図４】第２の実施形態におけるキオスク端末の概略構成の一例を示す構成図である。
【図５】キオスク端末と携帯端末との間の非接触通信のイメージ図である。
【図６】端末設置用ガイドを用いたアンテナの位置合わせ方法を示す説明図である。
【発明を実施するための形態】
【００２３】
以下、図面を参照して、本発明の実施形態について説明する。
【００２４】
＜第１の実施形態＞
図１は、本発明の第１の実施形態における位置合わせ補助装置３００を備えたキオスク端末２００の概略構成の一例を示す構成図である。
なお、この図１には図示していないが、キオスク端末２００と非接触通信を行う端末は、図５に示す携帯端末１００と同様であるとする。この携帯端末１００は、例えば、スマートフォンであり、キオスク端末２００とデータの送受信を行うための固定ビームの指向性アンテナであるアンテナ１３０を備えている。
【００２５】
キオスク端末２００は、街頭、公共施設、または店舗などに設置される情報端末の一例であり、ユーザの携帯端末１００と非接触通信を行うことにより、携帯端末１００に対してデータを送信、または携帯端末１００からデータを受信する。例えば、ユーザは、携帯端末１００をキオスク端末２００にかざして、非接触通信によりデータのダウンロードやアップロードを行うことができる。なお、以下では、キオスク端末２００からのダウンロードの場合のアンテナ位置合わせ補助処理について説明するが、キオスク端末２００へのアップロードの場合においても、非接触通信によるキオスク端末２００と携帯端末１００との間のデータの送信と受信とを入れ替えることで適用可能である。
【００２６】
図１（ａ）に示すキオスク端末２００は、ディスプレイ２１０と、タッチ部２２０と、アンテナ２３０と、表示部２４０と、送信部２５０と、受信部２６０と、切替部２７０と、位置合わせ補助装置３００と、を備えている。
ディスプレイ２１０は、例えばユーザが画面に触れることにより操作が可能なタッチパネル式のディスプレイであり、キオスク端末２００で利用できるコンテンツなどが表示される。タッチ部２２０には、携帯端末１００と非接触通信を行うためのアンテナ２３０が設けられている。即ち、タッチ部２２０は、キオスク端末２００において、携帯端末１００と非接触通信が行なわれる位置である。
【００２７】
アンテナ２３０は、例えば、ミリ波帯を用いた無線通信により携帯端末１００とデータの送受信を行うための固定ビームの指向性アンテナである。送信部２５０は、アンテナ２３０に送信データを供給し、受信部２６０は、アンテナ２３０が受信した受信データを受け取る。切替部２７０は、アンテナ２３０と送信部２５０とが接続されている状態と、アンテナ２３０と受信部２６０とが接続されている状態とを切り替える。
【００２８】
例えば、キオスク端末２００は、携帯端末１００からデータを受信する場合には切替部２７０をアンテナ２３０と受信部２６０とが接続されている状態に制御し、携帯端末１００に対してデータを送信する場合には切替部２７０をアンテナ２３０と送信部２５０とが接続されている状態に制御する。
【００２９】
具体的には、例えばキオスク端末２００から携帯端末１００へのダウンロードの場合、キオスク端末２００の送信部２５０は、符号化や変調等の処理によりコンテンツのデータ系列の送信信号を生成し、生成した送信信号を、切替部２７０がアンテナ２３０と送信部２５０とが接続されている状態において、アンテナ２３０に出力する。アンテナ２３０は、送信部２５０から出力された送信信号を携帯端末１００に無線送信する。
【００３０】
表示部２４０は、タッチ部２２０において、非接触通信を行う際にユーザが携帯端末１００をかざす面に設けられている。即ち、表示部２４０は、キオスク端末２００において、携帯端末１００と非接触通信が行われる位置に対応した位置に設けられている。この表示部２４０は、位置合わせ補助装置３００の制御により画像を表示する。なお、図１（ｂ）は、タッチ部２２０に設けられた表示部２４０の表示面を示す図である。例えば、表示部２４０は、位置合わせ補助装置３００の制御により携帯端末１００の画像（符号４１０が示す画像）を表示する。
【００３１】
位置合わせ補助装置３００は、認識部３１０と、記憶部３２０と、抽出部３３０と、表示制御部３４０と、を備えている。
認識部３１０は、ユーザがキオスク端末２００と非接触通信を行う（例えば、コンテンツをダウンロードするために利用する）携帯端末１００の機種を認識する。例えば、認識部３１０は、以下の認識方法等を用いて、携帯端末１００の機種を認識する。
【００３２】
例えば、ユーザがキオスク端末２００に近づくと、ＬＴＥ（Ｌｏｎｇ  Ｔｅｒｍ  Ｅｖｏｌｕｔｉｏｎ）に代表される無線ＷＡＮ（Ｗｉｄｅ  Ａｒｅａ  Ｎｅｔｗｏｒｋ）機能やＷｉＭＡＸ（登録商標）に代表される無線ＭＡＮ（Ｍｅｔｒｏｐｏｌｉｔａｎ  Ａｒｅａ．  Ｎｅｔｗｏｒｋ）機能、Ｗｉ−Ｆｉ（登録商標）に代表される無線ＬＡＮ（Ｌｏｃａｌ  Ａｒｅａ  Ｎｅｔｗｏｒｋ）機能、Ｂｌｕｅｔｏｏｔｈ（登録商標）に代表される無線ＰＡＮ（Ｐｅｒｓｏｎａｌ  Ａｒｅａ  Ｎｅｔｗｏｒｋ）機能等の無線通信機能を用いて、非接触通信を行う前にキオスク端末２００に携帯端末１００の機種情報を送信する。これにより、キオスク端末２００の認識部３１０は、携帯端末１００から送信された機種情報を取得し、取得した機種情報に基づいて携帯端末１００の機種を認識する。
【００３３】
なお、キオスク端末２００が具備するカメラ（不図示）を用いて、キオスク端末２００のタッチ部２２０に対してユーザがかざした携帯端末１００を撮影し、撮影した画像に基づいて、認識部３１０は、携帯端末１００の機種を認識してもよい。例えば、位置合わせ補助装置３００は、キオスク端末２００と通信が可能な複数の端末の機種情報と、それぞれの機種のテンプレート画像とが関連付けられたマッチング用のデータを管理し、このマッチング用のデータの各テンプレート画像と携帯端末１００を撮影した画像とのテンプレートマッチングを行い、携帯端末１００の機種を認識してもよい。
【００３４】
また、例えば、認識部３１０は、ユーザが携帯端末１００の機種を選択入力することが可能なように、キオスク端末２００と通信が可能な複数の端末の機種一覧をディスプレイ２１０に表示してもよい。そして、認識部３１０は、機種一覧の中からユーザが選択した機種を携帯端末１００の機種として特定してもよい。この場合、認識部３１０は、キオスク端末２００のカメラ（不図示）で撮影した画像に基づいて認識した携帯端末１００の機種の候補を上述の機種一覧としてディスプレイ２１０に表示し、この候補の中からユーザが選択入力することが可能なようにしてもよい。なお、機種一覧をディスプレイ２１０に表示する構成に代えて、機種一覧を携帯端末１００に送信することにより携帯端末１００の表示部に表示する構成としてもよい。そして、携帯端末１００において表示された機種一覧の中からユーザが選択入力することが可能なようにしてもよい。この場合、ユーザに選択された機種を示す情報が携帯端末１００からキオスク端末２００に送信されて、認識部３１０は、ユーザが選択した機種を携帯端末１００の機種として特定してもよい。
【００３５】
このように、認識部３１０は、上述した認識方法等を用いて、携帯端末１００の機種を認識することができる。そして、認識部３１０は、携帯端末１００の機種を認識した後、認識した機種情報を抽出部３３０に出力する。
【００３６】
また、位置合わせ補助装置３００は、キオスク端末２００と通信が可能な複数の端末の機種情報と、それぞれの端末におけるアンテナの位置情報とが関連付けられた端末構造データベース（以下、端末構造ＤＢ３２１と称する）を管理している。例えば、この端末構造ＤＢ３２１の情報は、記憶部３２０に記憶されている。
【００３７】
抽出部３３０は、認識部３１０から出力された携帯端末１００の機種情報を取得すると、取得した機種情報に基づいて、端末構造ＤＢ３２１に登録されている携帯端末１００のアンテナの位置情報を抽出する。ここで、携帯端末１００のアンテナ１３０の位置情報とは、図２（ａ）に示すように、例えば、携帯端末１００の裏面の一端（この図では左端、符号Ｌ１が示す端部）から携帯端末１００のアンテナ１３０の中心までの距離Ｗと、携帯端末裏面の一端（この図では上端、符号Ｌ２が示す端部）からアンテナ１３０の中心までの距離Ｔとを意味する。また、抽出部３３０は、携帯端末１００の機種情報（認識部３１０が認識した機種情報）と、抽出した位置情報とを表示制御部３４０に出力する。
【００３８】
ここで、携帯端末１００の裏面とは、ユーザが携帯端末１００を利用するときに情報が表示される側又は操作する側の面（以下、「表面」と称する）とは反対側の面であり、この裏面側を透過してアンテナ１３０からのビームが放出される。
【００３９】
表示制御部３４０は、抽出部３３０が出力した機種情報と位置情報とを取得すると、取得した機種情報と位置情報とに基づいて、取得した機種情報により示される携帯端末１００の表面の画像（符号４１０が示す画像）を、キオスク端末２００のタッチ部２２０に設けられた表示部２４０に表示させる。このとき、表示制御部３４０は、図２（ｂ）に示すように、携帯端末１００の表面の画像（符号４１０が示す画像）を、当該画像上の携帯端末１００のアンテナ１３０の位置と、キオスク端末２００のアンテナ２３０の位置とが、表示部２４０の表示面に対して垂直方向に一致するように表示部２４０に表示させる。具体的には、表示制御部３４０は、キオスク端末２００のアンテナ２３０の中心から右方向に距離Ｗの位置に画像上の携帯端末１００の符号Ｌ１が示す端部が位置し、かつ、アンテナ２３０の中心から上方向に距離Ｔの位置に画像上の携帯端末１００の符号Ｌ２が示す端部が位置するように、携帯端末１００の表面の画像を表示させる。
【００４０】
なお、表示制御部３４０が表示部２４０に表示させる携帯端末１００の表面の画像は、記憶部３２０に記憶されている。例えば、携帯端末１００の表面の画像は、端末構造ＤＢ３２１に機種情報と関連付けられて記憶されている。
【００４１】
このように、位置合わせ補助装置３００は、キオスク端末２００のアンテナ２３０の位置と携帯端末１００のアンテナ１３０の位置とが合うような携帯端末１００の画像を表示部２４０に表示させることにより、互いのアンテナの位置ずれが小さくなるような携帯端末１００のかざす位置をユーザに通知することができる。よって、ユーザは、表示部２４０に表示された携帯端末１００の画像に重なるように携帯端末１００をかざすだけで、容易に携帯端末１００のアンテナ１３０の位置をキオスク端末２００のアンテナ２３０の位置に合わせることができる。
【００４２】
次に、図３を参照して、本実施形態におけるアンテナの位置合わせ補助の処理の動作について説明する。図３は、本実施形態におけるアンテナの位置合わせ補助の処理の一例を示すフローチャートである。ここでは、キオスク端末と携帯端末との互いのアンテナの位置合わせの補助が、携帯端末１００がキオスク端末２００からコンテンツのダウンロードを開始する前に行われる場合を例として説明する。
【００４３】
まず、ユーザがキオスク端末２００からコンテンツのダウンロードをするために、キオスク端末２００に近づくと、または携帯端末１００をタッチ部２２０に対してかざすと、キオスク端末２００の認識部３１０は、上述した認識方法を用いて携帯端末１００の機種を認識し、認識した機種情報を抽出部３３０に出力する（ステップＳ１０）。
【００４４】
抽出部３３０は、認識部３１０から出力された携帯端末１００の機種情報を取得すると、取得した機種情報に基づいて、端末構造ＤＢ３２１に登録されている携帯端末１００のアンテナ１３０の位置情報を抽出する（ステップＳ２０）。そして、抽出部３３０は、携帯端末１００の機種情報（認識部３１０が認識した機種情報）と、抽出した位置情報とを表示制御部３４０に出力する。
【００４５】
次に、表示制御部３４０は、抽出部３３０が出力した機種情報と位置情報とを取得すると、取得した機種情報と位置情報とに基づいて、キオスク端末２００のタッチ部２２０のアンテナ２３０の位置を基準にして、携帯端末１００の表面の画像をタッチ部２２０の設けられた表示部２４０に表示させる（ステップＳ３０）。
【００４６】
表示部２４０に携帯端末１００の表面の画像が表示された後、ユーザは、この表示された携帯端末１００の画像に重なるように携帯端末１００をかざすことで、互いのアンテナの位置合わせが行われ、非接触通信のよるキオスク端末２００から携帯端末１００へのコンテンツのダウンロードが開始される（ステップＳ４０）。
【００４７】
以上説明したように、本実施形態による位置合わせ補助装置３００は、キオスク端末２００（情報端末）と携帯端末１００との間の非接触通信における互いのアンテナの位置合わせの補助を行う。例えば、位置合わせ補助装置３００は、認識部３１０と、抽出部３３０と、表示制御部３４０と、を備えている。認識部３１０は、携帯端末１００の機種を認識する。また、抽出部３３０は、記憶部３２０に記憶されている複数機種の携帯端末のアンテナの位置情報に基づいて、認識部３１０が認識した携帯端末１００のアンテナ１３０の位置情報を抽出する。そして、表示制御部３４０は、抽出部３３０が抽出した携帯端末１００のアンテナ１３０の位置情報に基づいて、非接触通信が行われる位置に対応した位置に設けられたキオスク端末２００の表示部２４０に、携帯端末１００の画像を表示させる。このとき、表示制御部３４０は、キオスク端末２００のアンテナ２３０の位置と携帯端末１００のアンテナ１３０の位置とが合うように携帯端末１００の画像を表示部２４０に表示させる。
【００４８】
これにより、本実施形態による位置合わせ補助装置３００は、キオスク端末２００と携帯端末１００との互いのアンテナの位置ずれが小さくなるような携帯端末１００のかざす位置をユーザに通知することができる。したがって、本実施形態によれば、固定ビームの指向性アンテナを用いた非接触通信において、通信対象となる情報端末（例えば、キオスク端末２００）にユーザが携帯端末１００をかざすときに容易に互いのアンテナの位置合わせを行うことを可能となる。
【００４９】
なお、表示部２４０に表示する携帯端末１００画像は、携帯端末１００の表面の画像に限られるものではなく、ユーザが携帯端末１００をかざすときの位置の指標となる情報であってもよい。例えば、携帯端末１００の表面の画像に代えて、携帯端末１００の形状を示す画像や形状の一部（例えば、携帯端末１００の４角の位置を示す情報のみ）を示す画像を表示部２４０に表示する携帯端末１００の画像としてもよい。
【００５０】
＜第２の実施形態＞
次に、本発明の第２の実施形態について説明する。
上述の第１の実施形態では、キオスク端末２００のタッチ部２２０に表示部２４０を設けて、ユーザが使用する携帯端末１００の画像を表示部２４０に表示することで、互いのアンテナの位置合わせの補助を行うものである。これに対して、本実施形態では、レーザを用いてユーザが使用する携帯端末１００の形状をタッチ部２２０に投影することで、互いのアンテナの位置合わせの補助を行う。
【００５１】
図４は、本実施形態における位置合わせ補助装置３００ａを備えたキオスク端末２００ａの概略構成の一例を示す構成図である。この図４において、図１の各部に対応する部分には同一の符号を付けており、その説明を省略する。
【００５２】
図１（ａ）に示すキオスク端末２００は、ディスプレイ２１０と、タッチ部２２０と、アンテナ２３０と、送信部２５０と、受信部２６０と、切替部２７０と、位置合わせ補助装置３００ａと、を備えている。位置合わせ補助装置３００ａは、認識部３１０と、記憶部３２０と、抽出部３３０と、表示制御部３４０と、投影部３５０と、を備えている。
【００５３】
認識部３１０は、第１の実施形態で説明した認識方法で、ユーザがコンテンツのダウンロードに使用する携帯端末１００の機種を認識し、認識した機種情報を抽出部３３０に出力する。抽出部３３０は、認識部３１０から出力された携帯端末１００の機種情報に基づいて、端末構造ＤＢ３２１に登録されている携帯端末１００のアンテナ１３０の位置情報を抽出し、投影部３５０に出力する。
【００５４】
投影部３５０は、例えば、レーザ光線を照射することにより任意のレーザパターンを投影面に対して投影するレーザ投影機である。ここでは、投影部３５０は、抽出部３３０から出力された携帯端末１００のアンテナ１３０の位置情報に基づいて、タッチ部２２０の非接触通信が可能な面に対して、携帯端末１００の形状をレーザで投影する。なお、図４（ｂ）は、タッチ部２２０の非接触通信が可能な面を示す図である。例えば、投影部３５０は、タッチ部２２０の非接触通信が可能な面に、携帯端末１００の形状を投影する（符号４２０が示す投影像）。このとき、投影部３５０は、第１の実施形態と同様に、投影した携帯端末１００の形状におけるアンテナ１３０の位置と、キオスク端末２００のアンテナ２３０の位置とが、投影面に対して垂直方向に一致するように、携帯端末１００の形状を投影する。具体的には、第１の実施形態で説明した図２の例を適用すると、投影部３５０は、キオスク端末２００のアンテナ２３０の中心から右方向に距離Ｗの位置に投影象上の携帯端末１００の符号Ｌ１が示す端部が位置し、かつ、アンテナ２３０の中心から上方向に距離Ｔの位置に投影像上の携帯端末１００の符号Ｌ２が示す端部が位置するように、携帯端末１００の形状を投影する。
【００５５】
これにより、ユーザはタッチ部２２０に投影された携帯端末１００の形状に重なるように携帯端末１００をかざすだけで、容易に携帯端末１００のアンテナ１３０の位置をキオスク端末２００のアンテナ２３０の位置に合わせることができる。
【００５６】
以上説明したように、本実施形態による位置合わせ補助装置３００ａは、投影部３５０を備え、抽出部３３０が抽出した携帯端末１００のアンテナ１３０の位置情報に基づいて、非接触通信が行われる位置に対応したキオスク端末２００（情報端末）の位置に、携帯端末１００の形状を投影する。このとき、投影部３５０は、キオスク端末２００のアンテナ２３０の位置と携帯端末１００のアンテナ１３０の位置とが合うように携帯端末１００の形状を投影する。
【００５７】
これにより、本実施形態による位置合わせ補助装置３００ａは、キオスク端末２００と携帯端末１００との互いのアンテナの位置ずれが小さくなるような携帯端末１００のかざす位置をユーザに通知することができる。したがって、本実施形態によれば、固定ビームの指向性アンテナを用いた非接触通信において、通信対象となる情報端末（例えば、キオスク端末２００）にユーザが携帯端末１００をかざすときに容易に互いのアンテナの位置合わせを行うことを可能となる。
【００５８】
なお、投影部３５０は、レーザを用いたレーザ投影機に限られるものではなく、例えば、ディスプレイに表示された画像を投影するプロジェクタ、スライドを投影するスライドプロジェクタ、またはオーバーヘッドプロジェクタであってもよい。
【００５９】
また、投影部３５０は、携帯端末１００の形状に基づく情報を投影すればよく、携帯端末１００の形状を投影することに限られるものではない。例えば、携帯端末１００の形状に基づく情報として、形状の一部（例えば、携帯端末１００の４角の位置を示す情報のみ）を投影してもよいし、携帯端末１００の表面の画像を投影してもよい。
【００６０】
以上、この発明の実施形態について図面を参照して詳述してきたが、具体的な構成は上述の実施形態に限られるものではなく、この発明の要旨を逸脱しない範囲の設計等も含まれる。例えば、上述の第１の実施形態と第２の実施形態とにおいて説明した構成は、任意に組み合わせることができる。
【００６１】
なお、上記実施形態において、端末構造ＤＢ３２１がキオスク端末２００（２００ａ）の記憶部３２０に記憶されている例を説明したが、キオスク端末２００（２００ａ）とは異なるサーバ装置に備えられてもよい。例えば、抽出部３３０や表示制御部３４０は、キオスク端末２００（２００ａ）とは異なるサーバ装置に備えられた端末構造ＤＢ３２１に通信網を介して通信することにより、端末構造ＤＢ３２１に登録されている情報を利用してもよい。
【００６２】
また、非接触通信による通信を行う情報端末として、キオスク端末２００（２００ａ）を一例として説明したが、キオスク端末２００（２００ａ）に限られるものではない。例えば、非接触通信による通信を行う情報端末は、キオスク端末２００（２００ａ）以外の端末であってもよいし、携帯端末１００の情報を読取る機能又は書き込む機能を有するリーダライタ等であってもよい。一方、非接触通信による通信を行う携帯端末１００として、スマートフォンを一例として説明したが、スマートフォンに限られるものではない。例えば、携帯端末１００は、携帯電話、タブレット型のコンピュータ、携帯型ゲーム機、非接触型ＩＣカード等であってもよい。
【００６３】
なお、上述した実施形態における認識部３１０、抽出部３３０、または表示制御部３４０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６４】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６５】
１００  携帯端末、１３０  アンテナ、２００、２００ａ  キオスク端末、２１０  ディスプレイ、２２０  タッチ部、２３０  アンテナ、２４０  表示部、２５０  送信部、２６０  受信部、２７０  切替部、３００、３００ａ  位置合わせ補助装置、３１０  認識部、３２０  記憶部、３２１  端末構造ＤＢ、３３０  抽出部、３４０  表示制御部、３５０  投影部
【図１】
2015115775.tif 000003
【図２】
2015115775.tif 000004
【図３】
2015115775.tif 000005
【図４】
2015115775.tif 000006
【図５】
2015115775.tif 000007
【図６】
2015115775.tif 000008